(57)【要約】      （修正有）【課題】打ち抜き型の材質如何に関わらず転移部材を受け型に位置合わせすることができ、しかも脱着も容易な転移部材の位置決め治具及びこの治具を使用した面板の位置決め方法を提供する。【解決手段】打抜機に、打ち抜き型（雄型）２２と、面板が貼り合わせられる受け型（雌型）２１とを取り付け、受け型に転移部材１２を転移させて、転移された転移部材を目印にして、上記面板を受け型に貼り合わせる転移部材の位置決め治具１であり、打ち抜き型の金属製の打抜刃２６及び／又は金属製の押罫部材２５に沿って吸着される磁石として取り付ける取付手段と、前記転移部材を着脱自在に保持する保持手段１ｂとを備える。【選択図】図１
2010240753.tif 000002
【特許請求の範囲】
【請求項１】
打抜機に、紙器の外形となるようシートを打ち抜く打抜刃と折り筋を付与する押罫部材が取り付けられる打ち抜き型（雄型）と、上記打抜刃や押罫部材に対応する溝を有する板状又はフィルム状の面版が貼り合わせられる受け型（雌型）とを取り付け、紙器の外形となるようシートを打ち抜くとともに折り筋を付与するに際して、受け型に転移部材を転移させて、転移された転移部材を目印にして上記面版を受け型に貼り合わせる転移部材の位置決め治具であり、
この転移部材の位置決め治具は、打ち抜き型（雄型）の金属製の打抜刃及び／又は金属製の押罫部材に沿って吸着される磁石として取り付ける取付手段と、前記転移部材を着脱自在に保持する保持手段とを備えることを特徴とする転移部材の位置決め治具。
【請求項２】
前記転移部材の位置決め治具は、直角に配される打抜刃及び／又は押罫部材の角隅部に、その二辺を接触させて取り付けられる角部を有することを特徴とする請求項１記載の転移部材の位置決め治具。
【請求項３】
打抜機に、紙器の外形となるようシートを打ち抜く打抜刃と折り筋を付与する押罫部材が取り付けられる打ち抜き型（雄型）と、上記打抜刃や押罫部材に対応する溝を有する板状又はフィルム状の面版が貼り合わせられる受け型（雌型）とを取り付け、紙器の外形となるようシートを打ち抜くとともに折り筋を付与するに際して、受け型に転移部材を転移させて、転移された転移部材を目印にして上記面版を受け型に貼り合わせる転移部材の位置決め治具であり、
この転移部材の位置決め治具は、打ち抜き型（雄型）の打抜刃及び／又は押罫部材と打抜刃及び／又は押罫部材との間に嵌め込まれるとともに、前記転移部材を着脱自在に保持する保持手段とを備えることを特徴とする転移部材の位置決め治具。
【請求項４】
前記転移部材が磁石であり、前記受け型（雌型）が強磁性体金属であるか、又は、強磁性体金属の平板が表面に取り付けられて、この受け型（雌型）と磁石の性質を利用して転移されることを特徴とする請求項１又は３記載の転移部材の位置決め治具。
【請求項５】
前記転移部材が微細な陥没穴であって前記受け型（雌型）に押し付けると、この陥没穴内部の空気が抜けて陰圧となることで吸盤作用を発揮するミクロ吸盤であることを特徴とする請求項１又は３記載の転移部材の位置決め治具。
【請求項６】
前記請求項１ないし５のいずれか１項記載の転移部材の位置決め治具を使用して、打ち抜き型に転移部材の位置決め治具が少なくとも２個取り付けられるか、又は、一つの転移部材の位置決め治具に２つの転移部材が間隔を開けて保持手段により保持され、前記一枚の面版に位置合わせをするための位置決め孔が少なくとも２箇所形成されて、面版の２ケ所で位置合わせされることを特徴とする転移部材の位置決め治具を使用した面版の位置決め方法。
【発明の詳細な説明】
【技術分野】
【０００１】
本発明は、紙器を組み立てるためにシートを打ち抜くとともに折り筋を付与する際における面版を正確に受け型に取り付けために使用される転移部材の位置決め治具及びこの治具を使用した面版の位置合わせ方法に関する。
【背景技術】
【０００２】
従来、シートＳにより折り曲げ加工された包装容器等の箱体（紙器）を製造するに際しては、図１１に示すように、シートＳを打抜き加工により、打ち抜き型２２のトムソン刃（打抜刃）２６で所定の形状に裁断するとともに、打ち抜き型２２の押罫部材２５によりブランク（打ち抜いた製品）Ｓに折り筋３０を多数刻設し、次にブランクＳの該折り筋３０に沿って折り曲げを行って箱体（紙器）を組み立てる。
【０００３】
この種従来のシートＳの打抜き加工に使用される打ち抜き型２２は、箱体（紙器）の形状や折畳み用の罫線に従ってベニヤ板にレーザー加工により、箱体の外形形状のトムソン刃用の溝及び押罫部材用の溝を形成し、それぞれの溝にトムソン刃２６及び該トムソン刃２６の高さより低い高さの押罫部材２５を埋め込んで一般的な打ち抜き型２２が製作される。打抜き加工では、打抜機の上側に装着された打ち抜き型２２と打抜機の下側の受け型２１の間にシートＳを挿入し、受け型２１を上昇させて次に降下させ、打抜き加工することで、該打ち抜き型２２のトムソン刃２６で所定の形状に裁断するとともに、押し罫２５によって所要部に折り筋３０を多数刻設されたブランク（打ち抜いた製品）Ｓが形成される。次にブランクＳの該折り筋３０に沿って折り曲げを行って箱体を折り曲げて組み立てる。
【０００４】
しかし、より正確な折り筋３０の刻設とブランクＳの折り筋３０の表層割れを防ぐ為には、面切りと称される凹部を打抜機の受け型２１上に形成する必要がある。このため、近年、裏面に粘着接着剤が塗布され、貼ったり剥がしたりして再利用が可能な板状やフイルム状面版や安価なＣＡＤ面版１５と称されるリーフ状の一体成型シート（これらを「フィルム状の面版」、単に「面版」とも呼ぶ。）が発明され、一般的な打ち抜き型２２が使用可能で安価でもあることから、打抜機１９の受け型２１上に粘着接着剤で粘着して利用されている。ＣＡＤ面版１５はフェノール樹脂シート（ベークシート）１６に打ち抜き型２２を製作する為のＣＡＤデータからＮＣ加工機により打ち抜き型２２の押罫部材２５に対応する位置に溝を削り込み成形し、トムソン刃（打抜刃）２６が当接する部位は該ベークシート１６を切り除き製作される（図７）。
【０００５】
上記面版の取り付け方法としては、特許文献１や２に示すように、打ち抜き型が木製（ベニヤ）である場合に、雌部材２と雄部材６と転移部材１２から構成された転移位置決め治具１や、打ち抜き型（雄型）の位置決め孔に挿脱可能に位置決めピンを挿入したりして、受け型２１の上に転移部材１２を転移させたり、又、位置決めピンの頭部装着される位置決めディスクを転移させ、これらの転移部材１２や位置決めディスクに合わせて（目印にして）フイルム面版やＣＡＤ面版に設けた孔を挿入し、フイルム面版やＣＡＤ面版を受け型２１の上に粘着接着剤で粘着する。
【先行技術文献】
【特許文献】
【０００６】
【特許文献１】特許第３４２９８２８号公報
【特許文献２】実用新案登録第３１４１４４０号公報
【発明の概要】
【発明が解決しようとする課題】
【０００７】
しかしながら、打ち抜き型は、安価で軽い特性を有する木製（ベニヤ）が多く使用されることが近年の傾向ではあるが、鋼鉄製や金属製の他、合成樹脂製にすることも考えられる。このような鋼鉄製等のような場合は、上記雄部材６のような部材を簡単に穴を開けて取り付けることはできない。
また、雌部材２と雄部材６を木製（ベニヤ）の打ち抜き型に装着させるには手間がかかるとともに、取り外すにも時間がかかる問題も有する。
【０００８】
そこで本発明の目的は、打ち抜き型の材質如何に関わらず転移部材を受け型に位置合わせすることができ、しかも脱着も容易な転移部材の位置決め治具及びこの治具を使用した面版の位置決め方法を提供することにある。
【課題を解決するための手段】
【０００９】
本発明は、打抜機に、紙器の外形となるようシートを打ち抜く打抜刃と折り筋を付与する押罫部材が取り付けられる打ち抜き型（雄型）と、上記打抜刃や押罫部材に対応する溝を有する板状又はフィルム状の面版が貼り合わせられる受け型（雌型）とを取り付け、紙器の外形となるようシートを打ち抜くとともに折り筋を付与するに際して、受け型に転移部材を転移させて、転移された転移部材を目印にして上記面版を受け型に貼り合わせる転移部材の位置決め治具であり、この転移部材の位置決め治具は、打ち抜き型（雄型）の金属製の打抜刃及び／又は金属製の押罫部材に沿って吸着される磁石として取り付ける取付手段と、前記転移部材を着脱自在に保持する保持手段とを備えることを特徴とする。この転移部材の位置決め治具は、打ち抜き型（雄型）の打抜刃及び／又は押罫部材と打抜刃及び／又は押罫部材との間に嵌め込まれるとともに、前記転移部材を着脱自在に保持する保持手段とを備えることを特徴とするものでも良い。
【００１０】
本発明によれば、位置決め治具に転移部材を取り付けた状態で、前記打抜刃や押罫部材に前記取付手段で取り付ける。ここで、前記取付手段としては、金属製の打抜刃や押罫部材の性質を利用して磁石で保持するものであったり、平行な打抜刃及び／又は押罫部材の間に嵌合させるものであっても良い。前記転移部材が微細な陥没穴であって前記受け型（雌型）に押し付けると、この陥没穴内部の空気が抜けて陰圧となることで吸盤作用を発揮するミクロ吸盤であっても良い。
そして、保持手段により保持した転移部材を受け型に取り付ける。前記保持手段としては、接着剤が塗布された転移部材を着脱可能に嵌合する溝や、磁石の性質を有する転移部材でも良く、従来のものが使用可能である。打ち抜き型を受け型（鉄、ニッケル、それらの合金等の強磁性体金属としての受け型）に押し当てて、転移部材を取り付けて、この転移部材を目印にして面版を受け型に取り付ける。
【００１１】
本発明としては、前記転移部材の位置決め治具は、直角に配される打抜刃及び／又は押罫部材の角隅部に、その二辺を接触させて取り付けられる角部を有することが好ましい。
本発明によれば、前記磁石の性質等を介して打ち抜き型の所定箇所において、直角の縦方向と横方向とを合わせて取り付けられる。
【００１２】
本発明の転移部材の位置決め治具を使用した面版の位置合わせ方法は、前記請求項１ないし４のいずれか１項記載の転移部材の位置決め治具を使用して、打ち抜き型に転移部材の位置決め治具が少なくとも２個取り付けられるか、又は、一つの転移部材の位置決め治具に２つの転移部材が間隔を開けて保持手段により保持され、前記一枚の面版に位置合わせをするための位置決め孔が少なくとも２箇所形成されて、面版の２ケ所で位置合わせされることを特徴とする。
本発明によれば、面版は、２箇所の転移部材を目印に受け型に取り付けられるので、面版の位置がずれるようなことなく、正確な位置で取り付けられる。
【発明の効果】
【００１３】
本発明の転移部材の位置決め治具は、金属製の打ち抜き型（雄型）の打抜刃及び／又は金属製の押罫部材に沿って吸着される磁石として取り付ける取付手段や、打抜刃及び／又は押罫部材と打抜刃及び／又は押罫部材との間に嵌合させて打ち抜き型（雄型）に取り付けるものであるから、打ち抜き型（雄型）の材質に関わらず装着可能であり、取り外しも容易になる。特に、直角に配される打抜刃及び／又は押罫部材の角隅部に四角形の二辺を接触させて取り付けられることにより、転移部材の位置決め治具をシートに対して縦方向と横方向とを直角に維持した位置に取り付け可能で、しかも取り外しも容易になる。
【００１４】
また、本発明の転移部材の位置決め治具を一つでも或いは複数使用して、面版を受け型（雌型）に対して正確な位置に取り付けることが可能になる。
【発明を実施するための形態】
【００１５】
以下、本発明を実施するための最良の形態について図面を用いて説明する。
【００１６】
（第１の実施の形態）
本実施の形態の転移部材の位置決め治具１は、図１と図２に示すように、打抜機に抜き型（雄型）２２と受け型（雌型）２１とを取り付け、紙器の外形となるようシートを打ち抜くとともに折り筋を付与するに際して、受け型２１に転移部材１２を転移させて、転移された転移部材１２を目印にして面版１５を受け型２１に貼り合わせる治具１である。
【００１７】
打ち抜き型（雄型）２２は、近年多用される木製（ベニヤ）で説明するが、鋼鉄製でも金属製でも樹脂製等でもその種類を問わず適用可能である。木製の打ち抜き型（雄型）２２の表面には、所定形状の貫通溝が形成され、紙器の外形となるようシートＳを打ち抜く帯状の打抜刃２６と、紙器の谷折りの折れ目となるようシートＳに折り筋３０を付ける帯状の押罫部材２５とがそれらの刃先を下面側又は上面側に揃えて貫通溝に取り付けられる（図１１）。打抜刃２６と押罫部材２５とは金属製である。打抜刃２６の周囲を覆うように弾性部材６が配され、この弾性部材６により、シートＳが打ち抜かれるときのシートＳのずれ（皺がよる）を防止する。なお、シートＳを所定の容器の形状に打ち抜くためには、上記糊代部（重ね合わせ部）７も含め打ち抜く必要がある。
【００１８】
受け型（雌型）２１は、カッティングプレートとも呼ばれ、近年多用される木製（ベニヤ）で説明するが、鋼鉄製でも金属製でも樹脂製等でもその種類を問わず適用可能である。鋼鉄製や金属製の場合は、その表面に直接面版１５が転移部材１２を介して貼着され、木製（ベニヤ）等の場合は、鋼鉄製等の薄板（平板）を表面に貼り付けてから、その表面に面版１５が転移部材１２を介して貼着される。図１２に示すように、面版１５の表面には、抜き刃２６と押罫部材２５が接触する溝が形成される。面版１５は、受け型（雌型）に複数枚貼着されることが通常である。一枚の面版１５には、位置合わせをするための位置決め孔２０が少なくとも２箇所形成されて、位置合わせの精度を維持する。面版１５は、金属製の受け型２１や金属製の平板に対する密着性が良好ならしめるために、紙フェノール材（ベークシート製）を使用しているが、これに限られるものではない。
【００１９】
受け型（雌型）２１には、面版１５の位置決め孔２０の目印となる転移部材１２が貼着される。転移部材１２は、図２と図５に示すように、転移部材の位置決め治具１の保持手段１ｂとしの収納溝に嵌め込まれる大きさの円形の平板で上記収納溝１ｂから若干突出する厚さで、且つ下面には接着剤が塗布され、該接着剤面１３に剥離紙１４が貼られている。ここでの転移部材１２は、スポンジやゴム製を使用している。金属製の受け型２１や受け型２１に取り付けられる金属製の平板に対しての接着と剥離が容易になるからである。
転移部材１２としては、ゴム磁石素材（磁石）で構成することが考えられる。受け型（雌型）２１が鋼鉄材（鉄、ニッケル、それらの合金等の強磁性体金属）であり、該転移部材１２の下面に接着剤を塗布する必要もなく、受け型（雌型）２１の上に転移が可能となるからである。
【００２０】
本実施の形態の転移部材の位置決め治具１は、打ち抜き型（雄型）２２の打抜刃２６や押罫部材２５に沿って取り付ける取付手段１ａと、転移部材１２を着脱自在に保持する保持手段１ｂとを備える（図２）。本実施の形態の転移部材の位置決め治具１は、矩形状の薄板であり、その一方側表面に転移部材１２を収納する収納溝が保持手段１ｂとして設けられ、矩形状の薄板の側面に磁石が取付手段１ａとして取り付けられている。
取付手段１ａとしての磁石は、金属製の打抜刃２６や金属製の押罫部材２５の性質を利用して吸着により取り付けるためであり、矩形状の薄板の二辺に装着されている。すなわち、四角形状の直角の角部の一方の辺と他方の辺に面一になるように取り付けられている（図１）。このような転移部材の位置決め治具１の形状としては、直角部を有する三角形状や扇形状等で良い。したがって、金属製の打抜刃２６や押罫部材２５とがなす直角の角部θ１で確実に取り付けられるとともに、取り外しも容易である。取付手段１ａの取り付け対象としては、押罫部材２５と押罫部材２５との間の他、押罫部材２５と打抜刃２６との間、打抜刃２６と打抜刃２６の間に配されるものでも良い。例えば、図９に示すように、四角形状の転移部材の位置決め治具２１であり、横方向の押罫部線材２６と２６との間に渡って配されるものでも、図１０に示すように、縦方向の押罫部線材２６と２６との間に渡って配されるもので良い。
【００２１】
保持手段１ｂとしの収納溝は、円形の溝であり、この溝に一つの転移部材１２が収納される（図２）。本実施の形態の保持手段１ｂは、円弧形状の溝は一つであるが、２個以上設けられていても良い（図３）。一つの転移部材１２の位置決め治具１に、２個以上の保持手段１ｂが設けられることで、打ち抜き型（雄型）２１に一枚の面版１５に対する位置決め治具１を一つ取り付けるだけで、面版１５の位置合わせ精度を維持できる。なお、転移部材１２がゴム磁石素材で構成される場合は、受け型（雌型）２１が鋼鉄材や金属製であるか、木製や合成樹脂等であってもその上に鋼鉄製や金属製の平板が取り付けられれば、磁石としての転移１２を吸着させることが可能である。
【００２２】
次に、本実施の形態の転移部材の位置決め治具１の使用例について説明する。
ここでは、受け型（雌型）に複数枚の面版１５を装着するが、一枚の面版１５に対して２箇所の位置決めをするので、一枚の面版１５に２個の位置決め孔２０が形成されており、この一枚の面版１５に対応した２個の位置決め治具１を打ち抜き型（雄型）に取り付ける。すなわち、位置決め治具１を２箇所に配置するか、又は、転移部材１２を２個着脱自在に保持する保持手段を複数有する一つの位置決め治具１を２箇所に配置する（図１）。なお、図１２に示すように、受け型２１に敷設した金属製の平板２１ａに、複数枚の面版１５を同時に転移させても良い。
まず、打ち抜き型（雄型）２２に転移部材の位置決め治具１を取り付ける。転移部材の位置決め治具１の高さ（高さ方向の幅）は、打抜刃２６や押罫部材２５の高さと同じか若干高い高さに設定するのがよい。
【００２３】
次に、位置決め治具１の溝（保持手段）１ｂに転移部材１２を嵌め込み、剥離紙１４を剥がす。なお、位置決め治具１の溝（保持手段）１ｂに転移部材１２を嵌め込んだ状態の位置決め治具１を打ち抜き型（雄型）２２に取り付けておき、取り付け後剥離紙１４を剥がしても良い。剥がしたときの剥がし面や磁石としての磁石面が上記溝（保持手段）１ｂから突出して、受け型（雌型）２１に転移し易くすると良い。
【００２４】
次いで、打抜機１９に打ち抜き型２２を取り付け、受け型（雌型）２１を上昇させて次に降下させると、受け型（雌型）２１上に転移部材１２が転移接着される（図６（ａ））。ここで、一枚の面版１５に対して２枚の転移部材１２が貼着され、それが複数箇所に配されている。そして、打抜機１９から受け型（雌型）２１を引き出してから、位置決め治具１を打ち抜き型（雄型）２２から取り外す。取り外すときは、位置決め治具１は直角に配される打抜刃２６と押罫部材２５の角隅部の二辺に磁石で接触しており、他の二辺は吸着していないので、容易に取り外すことができる。
【００２５】
転移部材１２が転移された受け型（雌型）２１に対しては、この受け型（雌型）２１上の転移部材１２に面版１５の位置決め孔２０を合わせて挿入し、面版１５を受け型（雌型）２１上に粘着接着剤で粘着する（図６（ｂ）（ｃ））。面版１５には２個以上の位置決め孔２０が形成されており、これらの位置決め孔２０を受け型（雌型）２１上の円形の転移部材１２に位置合わせすることで、位置ずれを防止して、正確な面版１５の受け型２１への取り付けが可能になる。
なお、面版１５の２個以上の位置決め孔２０の大きさを相違させたり、２個以上の転移部材１２の色を変えたり、又、その大きさを変えたり、面版１５に所定の目印を付けることで、これらの位置合わせの便宜を図ることは実施に応じ可能である。
【００２６】
次いで、転移部材１２を受け型（雌型）２１上から取り外すと、打ち抜き型２２の押罫部材２５に対応する位置に面版１５が受け型（雌型）２１上に形成されることになる。
【００２７】
そして、打抜機１９の上側に装着された打ち抜き型２２と面版１５が形成された受け型（雌型）２１の間にシートＳを挿入し、打抜き加工することとなる（図１１）。
【００２８】
ここで、面版１５の裏面には、貼着と剥離が繰り返してできる接着剤（マイクロカプセル型のスプレーや、ミクロ吸盤が使用可能）が使用されることが好ましい。面版１５が傾いたような場合でも、受け型２１に完全に貼着せずに、平衡を維持した状態で受け型２１に貼着させることが好ましいからである。ここで、ミクロ吸盤とは、微細な陥没穴（直径５〜３００ミクロン以下の凹状陥没穴）であって、物品表面に押し付けると、この陥没穴内部の空気が抜けて陰圧となることで、いわゆる吸盤作用を示すものである。本実施の形態では、このミクロ吸盤を具備するシート状部材が面版１５の裏面に貼着されており、受け型（雌型）２１に押し付けられると（平行状態で押し付けられると）、ミクロ吸盤の厚みが一時的に縮小し凹状陥没穴の空気が一部排除され陰圧になって吸接着する。このようなミクロ吸盤を具備するシート状部材は、転移部材１２の頭部に貼着されるようにしても良い。これにより、接着剤を使用せずに受け型２１に装着させたり、取り外したりすることができる。
また、所定の厚さを有して、その厚さの加圧変更で受け型２１に対する位置が変更可能な接着剤が塗布されていることにより、このいわゆるジェル状の接着剤の弾性力を持って、面版１５を受け型２１に対する位置を移動させて調整することが出来る。この接着剤は、面版１５，１７の裏面の全面に塗布しても、一部に塗布しても良い。なお、この調整範囲は、０．１〜０．２ｍｍ程度移動調整できれば十分である。
【００２９】
（第２の実施の形態）
本実施の形態の転移部材の位置決め治具１１は、四角形の薄板であり、平行に配される打抜刃及び／又は押罫部材の間に接触して取り付けられるものである。なお、磁石は配されていない。すなわち、本実施の形態では、合成樹脂製であり、図８に示すように、平行に配される押罫部材２６と押罫部材２６との間に丁度収まるような転移部材の位置決め治具１とされている。そして、押罫部材と押罫部材との間の他、押罫部材と打抜刃との間、打抜刃と打抜刃の間に配されるものでも良い。このような転移部材の位置決め治具１１は、その間隔に合わせて複数種類を準備する。
【００３０】
本実施の形態によれば、磁石を使用しなくとも、打抜刃２６及び／又は押罫部材２５の間に接触して容易に取り付けられ、取り外しも容易である。このような応用例としては、図９に示すように、四角形状の転移部材の位置決め治具１１であり、横方向の押罫部線材２６と２６との間に渡って配されるものでも、図１０に示すように、縦方向の押罫部線材２６と２６との間に渡って配されるもので良い。
【００３１】
以上、本実施の形態では、一つの面版に対して２箇所の位置決め孔を設ける例で説明したが、本発明が一つの面版に対して２箇所以上の位置決め孔を形成し、これに対応する転移部材の位置決め治具とすることが可能である。また、打ち抜き型が木製（ベニヤ）である場合で説明したが、本発明は打ち抜き型が鋼鉄製やその種類を問わず適用可能である。
【図面の簡単な説明】
【００３２】
【図１】本発明の第１の実施の形態の転移部材の位置決め治具と打ち抜き型を示す平面図である。
【図２】上記転移部材の位置決め治具と転移部材を示す斜視図である。
【図３】上記第１の実施の形態の他の例の転移部材の位置決め治具と打ち抜き型を示す平面図である。
【図４】上記他の例の転移部材の位置決め治具を示す斜視図である。
【図５】転移部材を示す斜視図である。
【図６】受け型（雌型）の上に面版をセットする順序を説明する斜視図である。
【図７】面版の斜視図である。
【図８】本発明の第２の実施の形態の転移部材の位置決め治具と打ち抜き型を示す平面図である。
【図９】上記第１と第２の実施の形態の他の例を示す平面図である。
【図１０】上記第１と第２の実施の形態の受け型（雌型）に面版が貼着された状態を示す平面図である。
【図１１】打ち抜き型と面版が形成された受け型（雌型）の間にシートを挿入し打抜き加工するときの側面図である。
【図１２】受け型（雌型）に貼着された面版の取り付け状態を示す平面図である。
【符号の説明】
【００３３】
１，１１   転移部材の位置決め治具
１２  転移部材
１３  接着剤
１４  剥離紙
１５  ＣＡＤ面版（板状又はフイルム状の面版：面版）
１９  打抜機
２０  位置決め孔（２個以上の貫通孔）
２１  受け型（雌型）
２２  打ち抜き型
２５  押罫部材
２６  打抜刃（トムソン刃）
Ｓ  シート
【図１】
2010240753.tif 000003
【図２】
2010240753.tif 000004
【図３】
2010240753.tif 000005
【図４】
2010240753.tif 000006
【図５】
2010240753.tif 000007
【図６】
2010240753.tif 000008
【図７】
2010240753.tif 000009
【図８】
2010240753.tif 000010
【図９】
2010240753.tif 000011
【図１０】
2010240753.tif 000012
【図１１】
2010240753.tif 000013
【図１２】
2010240753.tif 000014